(57)【特許請求の範囲】
【請求項１】
少なくともトッププレートの一部が、主マグネットの外周より凹んだ係合部を有する磁気回路と、該磁気回路を装着するためのフレームと、前記トッププレートの外周と当接するシールドカバーと、キャンセルマグネットとからなるものであって、
前記フレームは、その天部の中央部に、前記トッププレートとほぼ同形の透孔を開口すると共に、その下方に前記透孔に接して、前記トッププレートの係合部と係合するトッププレート装着部を形成し、
前記トッププレート装着部の下方側に、その内周が前記主マグネットの外周に接し、その外周が前記シールドカバーの内周に接する係止部材を形成し、
前記トッププレートが、前記係止部材によって下方への移動が、前記主マグネットの一部が、前記トッププレート装着部よって上方への移動をそれぞれ阻止されるよう構成したこと
を特徴とする防磁型スピーカ。
【請求項２】
前記トッププレート装着部は、
前記透孔の内周縁の所要部位に、下方に延出する取付け部材が形成され、各取付け部材の内側上部に、前記トッププレートの係合部と係合する突出部が一体的に形成されていること
を特徴とする請求項１記載の防磁型スピーカ。
【請求項３】
前記係止部材は、
前記各取付け部材の下端部を、一体的に連結するリング部材であること
を特徴とする請求項２記載の防磁型スピーカ。
【請求項４】
前記係止部材は、
前記各取付け部材の下端部の、左右に一体的に張り出させた円弧状の部材であること
を特徴とする請求項１に記載の防磁型スピーカ。
【発明の詳細な説明】
【０００１】
【発明の属する技術分野】
この発明は、テレビ又はコンピュータ用ブラウン管ディスプレイ等に使用される防磁型スピーカに係わり、より詳しくは、フレームに対する磁気回路の組み込みが、きわめて簡単かつ容易に行うことのできるスピーカと、その製造方法に関するものである。
【０００２】
【従来の技術】
スピーカの組み立てにおいて、フレームへの磁気回路の装着手段には、種々の方法が提案されている。
なかでも、フレームが鋼材からなる場合には、フレームの底面上に複数の透孔を同一円上に均等に配すると共に、磁気回路を構成するトッププレートの上面に、前記透孔と対応させて突起を複数均等に突出形成し、前記突起を、フレームの前記透孔にそれぞれ挿入したのち、カシメ加工によって、両者を一体化させる方法やネジ止め方法が一般的である。
【０００３】
一方、フレームがプラスチック製の場合には、たとえば、特開平７−２２２２８１号公報において、磁気回路を構成する上部プレートと、これにカシメ止めされるリング状接合部材とでフレーム内周縁部を挟持することによって、信頼性の高いスピーカを得ることが開示されている。
また、同公報中の図４においては、磁気回路を構成する上部プレートの裏面外周部に段部を形成し、該段部にフレームの内周縁を嵌合した状態で、フレームに磁気回路を装着するスピーカが開示されている。
【０００４】
前記のカシメ方式は、トッププレートの上面の突起は、トッププレートの厚さのほぼ半分程度の高さしか突設することができないため、対応するフレームの、透孔の回りの材厚はそれより薄くせざるを得ない。
そのため、フレームがプラスチック製の場合には、十分な強度が得られず、ネジ止め手段が必要とされるので、結果的にコストアップが避けられないという欠点があった。
【０００５】
そこで、この出願の発明者は、特願平９−３２３０２０号において、フレームの天部の内側中央に、トッププレートとほぼ同形のトッププレート装着部を形成すると共に、その裏面側に、マグネットの外形とほぼ等しいマグネット装着部を、その一部が、前記トッププレート装着部内に張り出すよう形成し、裏面に接着剤を塗布したトッププレートを、フレームの上方からトッププレート装着部内に落とし込み、トッププレート装着部内に張り出したマグネット装着部によって、トッププレートの下方への移動を阻止し、一方、下方からマグネットをマグネット装着部内に挿入し、その頂面の一部をトッププレート装着部の裏面と当接させ、マグネットがフレーム内に突出するのを阻止した状態で、マグネットとトッププレートとを接着固定することによって、特別な工具類を使用することなく、フレームに磁気回路を強固に固着して、ガタを生じさせないスピーカとその製造方法を提案した。
【０００６】
しかしながら、前記のスピーカは、そのトッププレートが四角形等の形状で、マグネットの一部が、トッププレートの外周より突出するため、そのトッププレートに外接する鋼製の防磁カバーの製造が難しく、防磁型のスピーカには、適用することができないという問題が生じた。
【０００７】
【発明が解決しようとする課題】
この発明はかかる現状に鑑み、プラスチック製又はダイキャストによるフレームに対する、磁気回路の組み込みが、きわめて簡単かつ容易な防磁型スピーカと、その製造方法を提供せんとするものである。
【０００８】
【課題を解決するための手段】
前記の目的を達成するため、この発明の防磁型スピーカは、
少なくともトッププレートの一部が、主マグネットの外周より凹んだ係合部を有する磁気回路と、該磁気回路を装着するためのフレームと、前記トッププレートの外周と当接するシールドカバーと、キャンセルマグネットとからなるものであって、
前記フレームは、その天部の中央部に、前記トッププレートとほぼ同形の透孔を開口すると共に、その下方に前記透孔に接して、前記トッププレートの係合部と係合するトッププレート装着部を形成し、
前記トッププレート装着部の下方側に、その内周が前記主マグネットの外周に接し、その外周が前記シールドカバーの内周に接する係止部材を形成し、
前記トッププレートが、前記係止部材によって下方への移動が、前記主マグネットの一部が、前記トッププレート装着部よって上方への移動をそれぞれ阻止されるよう構成したこと
を特徴とするものである。
【０００９】
【発明の実施の形態】
この発明の防磁型スピーカは、少なくともトッププレートの一部が、主マグネットの外周より凹んだ係合部を有する磁気回路と、前記磁気回路を装着するためのフレームと、前記トッププレートの外周と当接するシールドカバー、およびキャンセルマグネットとから構成されるものである。
スピーカを構成するフレームの材質については、特段の制限がないので、アルミまたは亜鉛等のダイキャスト、もしくはＡＢＳ樹脂、塩化ビニル樹脂、ポリエチレン樹脂などの耐熱性を有する合成樹脂であってもよく、合成樹脂は必ずしも耐熱性のあるものでなくてもよい。
【００１０】
磁気回路を構成するトッププレートは、その外周部が使用せんとする主マグネットの外周よりも凹んだ係合部を有することを必須とするものであるが、当該係合部の形状については特段の制限がないので、Ｕ字状の凹部であっても、チャンネル状の凹部であってもよい。
【００１１】
この発明の防磁型スピーカに使用するフレームは、適用せんとする磁気回路のトッププレートとほぼ同形の透孔を天部（底面）の中央部に有し、前記透孔の上部に、前記トッププレートの凹状の係合部と係合するトッププレート装着部を設けたものである。
【００１２】
このトッププレート装着部は、具体的には、前記フレームに形成された透孔の、周縁の所要の部位に、帯び状の取付け部を下方に一体的に延出させて形成し、この取付け部の内側に水平に突出部を突設して形成して、トッププレート装着としたものである。
その際、プレートのガタツキを防止するため、このトッププレート装着部とトッププレートに形成する凹状の係合部は、密着状態を保持する寸法とすることが好ましい。
【００１３】
なお、このトッププレート装着部は、磁気回路を構成する主マグネットが、装着後にフレーム側に移動することを阻止する役目をも有するものである。
【００１４】
前記トッププレート装着部の下方には、装着したトッププレートが、下方に抜け落ちるのを防止するための係止部材が設けられる。
【００１５】
この係止部材は、その内周が前記主マグネットの外周に接し、その外周が前記防磁カバーの内周に接する形状を有するものである。
前記トッププレートの大部分を、この係止部材によって係止することによって、装着したトッププレートが、下方に抜け落ちるのを防止するよう構成されるものである。
【００１６】
具体的には、前記取付け部の下端部に一体的に設けるものである。
一つの手段としては、たとえば、フレームの透孔に均等に配された取付け部の下端を、一体的に連結するリング部材であってもよい。
他の一つとしては、前記各取付け部材の下端部に、直交させて取付けた円弧状の部材であってもよい。
【００１７】
【作用】
この発明の防磁型スピーカは、磁気回路の構成に際して、トッププレートの一部に、使用せんとする主マグネットの外形よりも凹ませた係合部を形成し、この係合部を、フレーム天部の透孔に設けたトッププレート装着部と係合させると同時に、前記トッププレート装着部の下方に設けた係止部材によって、トッププレートの下方への移動を阻止し、かつ前記係止部材によって、装着した主マグネットが上方に移動することを阻止するように構成されているので、スピーカの組み立てが容易化され、磁気回路のガタツキがなく、品質のよい防磁型スピーカを提供することができる。
【００１８】
【実施例】
以下、この発明の防磁型スピーカの実施例を、添付の図面に基づいて詳細に説明する。
この発明の防磁型スピーカ１は、少なくともトッププレート１０の一部が主マグネット１１の外周より凹んだ係合部１０ａを有する磁気回路と、この磁気回路を装着するためのフレームと、前記トッププレート１０の外周と当接するシールドカバー１５と、キャンセルマグネット１４とから構成されるものである。
【００１９】
フレームは、図１に示すように、矩形状のフレーム主体１ａに楕円状の透孔１ｂを打抜き、裏面側の中央部に、ボックス状の磁気回路装着部１ｃを、一体的に形成したものである。
前記磁気回路装着部１ｃの底面部には、後述のトッププレート１０と同形の透孔２を形成すると共に、前記透孔２の開口縁部に、下方に延出する４つの取付け部材３，３……を一体的に設け、各取付け部材３の内側上部に、それぞれ軸方向に水平に突出するトッププレート装着部４，４……を設けたものである。
【００２０】
前記取付け部材の下端部には、４つの取付け部材３，３，３，３を一体的に連結するリング部材からなる係止部材５が一体的に形成されたものである。
これらは、耐熱性を有するＡＢＳ樹脂で一体成形されたものである。
【００２１】
かかる構成のフレームの磁気回路装着部１ｃに磁気回路を装着するには、まず、図２に示すように、トッププレート１０を前記フレームの上部から透孔２に落とし込む。
このトッププレート１０は、図４に示すように、使用せんとする主マグネット１１の外形よりも凹んだ係合部１０ａ，１０ａ……を形成しているので、各係合部１０ａを、フレームの各取付け部材３に形成された、トッププレート装着部４と合致するよう落とし込むものである。
【００２２】
このトッププレート１０の落とし込みによって、トッププレート１０とフレームとは緊密に係合すると同時に、トッププレート１０の裏面が、トッププレート装着部４の下方に形成したリング部材からなる係止部材５によって、下方への移動が阻止される。
その際、係止部材５の上面等に接着剤を塗布し、トッププレート１０と係止部材５を、一体的に接着固定してもよい。
【００２３】
ついで、フレームの下方から主マグネット１１を、前記係止部材５の内周面に沿って装着すると、主マグネット１１の上面が、前記トッププレート装着部４の裏面と当接して上方への移動が阻止される。
この状態を保持しながら、主マグネット１１の裏面に、ボトムプレート１２を当接すると、センターポール１３が、トッププレート１０の中央部に形成した透孔２内に位置し、透孔２の内周部とセンターポール１３の外周部との間に磁気ギャップが形成される。
なお、主マグネット１１とボトムプレート１３とは、接着剤によって一体的に固着してもよい。
【００２４】
しかるのち、ボトムプレート１３の裏面の、所定の部位にキャンセルマグネット１４を当接し、接着剤によって一体化させ、有底円筒状のシールドカバー１５で磁気回路部を覆うと、シールドカバー１５の開口部の内周面がトッププレート１０の外周面と密着し、防磁型スピーカ１を得ることができる。
その際、シールドカバー１５と前記フレームとは、接着剤で一体化させることが好ましい。
【００２５】
前記実施例においては、トッププレート１０が、下方に移動することを阻止する係止部材５をリング部材で形成している。
この係止部材５は、トッププレート１０が下方に移動することを阻止できる形状であればよい。
たとえば、図５に示すように、磁気回路装着部に形成される透孔２に配設される取付け部材３の上部内側に、前記実施例と同様にトッププレート装着部４を、それぞれ内側に突設させ、かつその下方の取付け部材３の左右に、円弧状に延びる部材を一体的に形成して係止部材５としてもよい。
【００２６】
【発明の効果】
この発明の防磁型スピーカは、磁気回路を構成する主マグネットの外形よりも内側に凹む係合部を一部に有するトッププレートを使用し、このトッププレートの係合部を、フレーム天部の透孔の下方に形成したトッププレート装着部と緊密に係合させると共に、前記トッププレート装着部の下方に設けた係止部材によって、トッププレートの下方への移動を阻止している。
また、前記係止部材の内側と主マグネットの外周とが当接し、かつ主マグネットが前記トッププレート装着部材によって上方への移動を阻止し、同時にトッププレートの外周部が、反発型磁気回路を覆うシールドカバーの開口部内周部と当接するよう構成されているので、スピーカの組み立てがきわめて簡単かつ容易であって、磁気回路がフレームに確実に保持され信頼性の高い防磁型スピーカとすることができる。
【００２７】
特に、この発明のスピーカは、フレームに形成したトッププレート装着部に、トッププレートを嵌め込んだとき、トッププレートの裏面が、トッププレート装着部の下方に形成した係止部材によって下方への移動が阻止され、同時にトッププレート装着部によって、主マグネットが上方への移動を阻止されるため、特段の治具を使用することなく、磁気回路を正確にフレームに装着することができる。
【図面の簡単な説明】
【図１】  この発明の防磁型スピーカの一例を示す一部切欠平面図である。
【図２】  この発明の防磁型スピーカの要部を示す一部断面図である。
【図３】  この発明の防磁型スピーカを構成するフレームの側面図である。
【図４】  この発明の防磁型スピーカに使用するトッププレートの平面図である。
【図５】  この発明の防磁型スピーカを構成するフレームの他の実施例を示す側面図である。
【図６】  図５における要部の平面図である。
【符号の説明】
１     防磁型スピーカ
１ａ   フレーム主体
１ｂ   透孔
１ｃ   磁気回路装着部
２     磁気回路装着部の透孔
３     取付け部
４     トッププレート装着部
５     係止部材
１０   トッププレート
１１   主マグネット
１２   ボトムプレート
１３   センターボール
１４   キャンセルマグネット
１５   シールドカバー
【図１】
0004055181.tif 000002
【図２】
0004055181.tif 000003
【図３】
0004055181.tif 000004
【図４】
0004055181.tif 000005
【図５】
0004055181.tif 000006
【図６】
0004055181.tif 000007